(57)【要約】【目的】カメラ１から表示装置３０を着脱自在とし，表示装置３０からの指令にしたがってカメラ１を制御する。【構成】カメラ１の背面に表示装置３０を収納する収納凹所４を形成する。収納凹所４に表示装置３０を収納した場合には，カメラ１の接続端子と表示装置３０の接続端子とが電気的に接続され，表示装置３０からの指令がカメラ１に与えられる。また，カメラ１から出力される画像データが表示装置３０に与えられ，表示装置３０の表示画面に画像が表示される。表示装置３０を収納凹所４から取り外した場合には，センサ６により表示装置３０とカメラ１とが通信可能となる。表示装置３０をカメラ１に収納した状態でも外した状態でも表示装置３０からの指令をカメラ１に与えることができる。【選択図】　図２
2004032222.tif 000002
【特許請求の範囲】
【請求項１】
ディジタル・カメラ本体と上記ディジタル・カメラ本体に着脱自在な表示装置とから構成され，
上記ディジタル・カメラ本体は，
ディジタル・カメラ本体の背面に形成され，かつ表示画面が外側となるように上記表示装置を保持する保持部，
上記保持部に上記表示装置が保持されていることを検出する検出手段，
上記検出手段により上記保持部に上記表示装置が保持されていることを検出したことに応じて上記表示装置に電源を供給する第１の電源回路，
上記表示装置から送信される指令を受信する受信回路，
上記第１の電源回路から供給される電源にもとづいて動作し，かつ上記受信回路によって受信した指令にもとづいて被写体を撮影する撮影手段，および
上記撮影手段における撮影によって得られた画像データを上記表示装置に送信する画像データ送信手段を備え，
上記表示装置は，
電源を供給する第２の電源回路，
上記ディジタル・カメラ本体の上記第１の電源回路から供給する電源にもとづいて，または上記第２の電源回路から供給される電源にもとづいて動作するものであり，
上記ディジタル・カメラ本体に送信すべき指令を入力する入力手段，
上記入力手段から入力された指令を上記ディジタル・カメラ本体に送信する送信回路，および
上記送信回路によって上記ディジタル・カメラ本体に送信された指令にもとづいて上記ディジタル・カメラの画像データ送信回路から送信された画像データによって表される画像を表示するように表示装置を制御する表示制御手段，
をさらに備えたディジタル・カメラ。
【請求項２】
被写体を撮像し，被写体像を表す画像データを出力する撮像手段，
バックライト装置から送信される光によって裏面が照射される表示画面に，上記撮像手段から出力された画像データによつて表される画像を表示する液晶表示装置，および
上記バックライト装置からの出射光をディジタル・カメラの前方から出射するように導く導光路，
を備えたディジタル・カメラ。
【請求項３】
上記導光路によって導かれた光を集光または拡散してディジタル・カメラの前方から出射する集光／拡散レンズをさらに備えた請求項２に記載のディジタル・カメラ。
【発明の詳細な説明】
【０００１】
【技術分野】
この発明は，ディジタル・カメラ（携帯型情報機器にカメラの機能をもたせたものを含む）に関する。
【０００２】
【発明の背景】
ディジタル・カメラの背面には，液晶表示装置が設けられているものが多い。被写体を撮像することにより得られた画像データによって表される画像が液晶表示装置の表示画面に表示される。表示された画像を確認しながら，被写体を撮影することができる。
【０００３】
このように，ディジタル・カメラには液晶表示装置が設けられていることが多いから，液晶表示装置を有効に利用することが求められている。
【０００４】
【発明の開示】
この発明は，液晶表示装置を有効に利用することを目的とする。
【０００５】
第１の発明によるディジタル・カメラは，ディジタル・カメラ本体と上記ディジタル・カメラ本体に着脱自在な表示装置とから構成されるものである。
【０００６】
上記ディジタル・カメラ本体は，ディジタル・カメラ本体の背面に形成され，かつ表示画面が外側となるように上記表示装置を保持する保持部，上記保持部に上記表示装置が保持されていることを検出する検出手段，上記検出手段により上記保持部に上記表示装置が保持されていることを検出したことに応じて上記表示装置に電源を供給する第１の電源回路，上記表示装置から送信される指令を受信する受信回路，上記第１の電源回路から供給される電源にもとづいて動作し，かつ上記受信回路によって受信した指令にもとづいて被写体を撮影する撮影手段，および上記撮影手段における撮影によって得られた画像データを上記表示装置に送信する画像データ送信手段を備えている。
【０００７】
上記表示装置は，電源を供給する第２の電源回路，上記ディジタル・カメラ本体の上記第１の電源回路から供給する電源にもとづいて，または上記第２の電源回路から供給される電源にもとづいて動作するものであり，上記ディジタル・カメラ本体に送信すべき指令を入力する入力手段，上記入力手段から入力された指令を上記ディジタル・カメラ本体に送信する送信回路，および上記送信回路によって上記ディジタル・カメラ本体に送信された指令にもとづいて上記ディジタル・カメラの画像データ送信回路から送信された画像データによって表される画像を，表示するように表示装置を制御する表示制御手段をさらに備えている。
【０００８】
第１の発明によると，ディジタル・カメラは，ディジタル・カメラ本体と表示装置とから構成されている。ディジタル・カメラ本体には，保持部が形成されており，この保持部に表示装置が保持される。保持部に表示装置が保持されると，保持されていることが検出手段によって検出される。保持部に表示装置が保持されていることが検出されると，ディジタル・カメラ本体にある第１の電源回路から表示装置に電源が供給される。表示装置は，ディジタル・カメラ本体にある第１の電源回路から供給される電源によって動作する。
【０００９】
表示装置には，第２の電源回路がある。ディジタル・カメラ本体に保持されていないときには，この第２の電源回路から供給される電源によって表示装置が動作する。
【００１０】
表示装置には，ディジタル・カメラ本体に送信すべき指令を入力する入力手段が設けられており，この入力手段から入力された指令は，ディジタル・カメラ本体に送信される。
【００１１】
表示装置から送信された指令がディジタル・カメラ本体において受信されると，その指令にしたがって被写体が撮像される。撮像により得られた画像データは，ディジタル・カメラ本体から表示装置に送信される。表示装置の表示画面に，被写体像が表示される。
【００１２】
表示装置がディジタル・カメラ本体に保持されている場合でも保持されていない場合でもどちらでも表示装置からディジタル・カメラ本体に指令を送信することができる。上述したように，指令にしたがってディジタル・カメラ本体を制御することができる。
【００１３】
第２の発明によるディジタル・カメラは，被写体を撮像し，被写体像を表す画像データを出力する撮像手段，バックライト装置から送信される光によって裏面が照射される表示画面に，上記撮像手段から出力された画像データによつて表される画像を表示する液晶表示装置，および上記バックライト装置からの出射光をディジタル・カメラの前方から出射するように導く導光路を備えていることを特徴とする。
【００１４】
第２の発明によると，バックライト装置から出射される光が液晶表示装置の表示画面の裏面に照射される。また，このバックライト装置から出射される光は，導光路によってディジタル・カメラの前方から出射される。バックライト装置を利用して，被写体を明るく照らすことができる。ストロボ装置を利用してストロボ発光させることなく，液晶表示装置に設けられているバックライト装置を有効利用することができる。
【００１５】
上記導光路によって導かれた光を集光または拡散してディジタル・カメラの前方から出射する集光／拡散レンズをさらに備えるようにしてもよい。たとえば，マクロ撮影モードが設定されたときには，主要被写体が近くにあると判断されるので，光を拡散するようにできる。また，マクロ撮影モードが設定されないときには，光を集光して主要被写体に照射するようにできる。
【００１６】
暗所撮影かどうかを判定する判定手段をさらに備えるようにしてもよい。この場合には，上記導光路は，上記判定手段により暗所撮影であると判定されたことに応じて，上記バックライト装置からの出射光をディジタル・カメラの前方から出射するものとなろう。
【００１７】
上記導光路が上記バックライト装置からの出射光をディジタル・カメラの前方に導くことと上記表示画面の裏面に導くこととを選択的に行うものでもよい。この場合，暗所撮影かどうかを判定する判定手段，および上記判定手段により暗所撮影と判定されたことに応じて上記バックライト装置からの出射光とディジタル・カメラの前方に導き，上記判定手段により暗所撮影ではないと判定されたことに応じて上記バックライト装置からの出射光を上記表示画面の裏面に導くように上記導光路を制御する導光路制御手段を設けることとなろう。
【００１８】
【実施例の説明】
図１は，この発明の実施例を示すもので，ディジタル・スチル・カメラを背面から見た斜視図である。
【００１９】
ディジタル・スチル・カメラは，互いに分離可能なカメラ本体１と表示装置３０とから構成される。これらのカメラ本体１と表示装置３０とは互いに通信可能である。
【００２０】
カメラ本体１の前面には，撮像レンズ３が突出している。カメラ本体１の上面において，背面から見て右側にはレリーズ・ボタン２が設けられている。
【００２１】
カメラ本体１の背面には，ほぼ全体にわたって収納凹所４が形成されている。この収納凹所４は表示装置３０の大きさとほぼ同じである。収納凹所４内に表示装置３０が丁度嵌め込められる。収納凹所の内壁４Ａには，表示装置３０がカメラ本体１の収納凹所４に嵌め込められていることを検出する検出スイッチ５が設けられている。この検出スイッチ５の右側には表示装置３０と通信するためのセンサ６が設けられている。また，収納凹所４の上側の壁には表示装置３０が収納凹所４Ａに嵌め込められたときに，表示装置３０と電気的に接続される接続端子が形成されている。
【００２２】
表示装置３０には，その表面に表示画面３０Ａが形成されている。表示画面３０Ａの下方にメニュー・ボタン３１，第１セレクト・ボタン３２，第２のセレクト・ボタン３３および決定ボタン３４（これらのボタンは，ソフトウェアによって画面３０Ａ上に領域を表示させることにより実現される。画面３０Ａ上にはタッチパネルが形成されており，タッチされたことが検出されることはいうまでもない。もちろん機械的なボタンが形成されてもよい）が形成されている。また，表示装置３０の上面にはカメラ本体と通信するためのセンサが設けられている。さらに，表示装置３０の上面には，表示装置３０がカメラ本体１の収納凹所４に嵌め込められたときに収納凹所に形成されている接続端子と電気的に接続するための接続端子が形成されている（これらのセンサおよび接続端子は図１においては，奥側になっており，見えない）。
【００２３】
図１に示すように，表示装置３０がカメラ本体１から外されているときには，カメラ本体１に形成されているセンサ６と表示装置３０に形成されているセンサとを用いて互いに通信される。
【００２４】
図２は，カメラ本体１の収納凹所４に表示装置３０が嵌め込められた状態のディジタル・スチル・カメラの斜視図である。
【００２５】
カメラ本体１の収納凹所４に表示装置３０が嵌め込められると，表示装置３０の接続端子とカメラ本体１の接続端子とが電気的に接続される。電気的に接続された接続端子を介してカメラ本体１と表示装置３０とが通信される。表示装置３０からカメラ本体１にメニュー・ボタン３１等が押されたことを示す信号が送信されることにより，その送信に応じた処理がカメラ本体１において行われる。カメラ本体１から表示装置３０に画像データが送信されることにより，その画像データによって表される画像が表示装置３０の表示画面３０Ａ上に表示される。
【００２６】
図３は，表示装置３０の表示画面３０Ａに表示される画像の一例である。
【００２７】
図３には，ファイル操作メニュー３０が表示されている。
【００２８】
メニュー・ボタン３１が押されることにより，表示画面３０Ａ上に各種メニューが表示される。表示されたメニューの中から所望のメニューが第１のセレクト・ボタン３２または第２のセレクト・ボタン３２によって選択される。決定ボタン３４が押されることにより，選択されたメニューが決定する。
【００２９】
図３に示すように，ファイル操作メニュー３５が選択され，表示画面３０Ａ上に表示されると，第１のセレクト・ボタン３２または第２のセレクト・ボタン３３が操作されることによりカーソル３６が下または上に移動する。決定ボタン３４が押されると，カーソル３６により囲まれている指令が表示装置３０内に与えられ，表示装置３０からカメラ本体１に与えられることとなる。
【００３０】
図４は，ディジタル・スチル・カメラの電気的構成を示すブロック図である。
【００３１】
上述したように，ディジタル・スチル・カメラは，カメラ本体１とこのカメラ本体１に着脱自在な表示装置３０とから構成されている。
【００３２】
カメラ本体１には，接続端子２８Ａ，２８Ｂおよび２８Ｃが形成されている。また，表示装置３０には，接続端子５１Ａ，５１Ｂおよび５１Ｃが形成されている。カメラ本体１の収納凹所４に表示装置３０が収納されていると，カメラ本体１の接続端子２８Ａ，２８Ｂおよび２８Ｃと表示装置３０の接続端子５１Ａ，５１Ｂおよび５１Ｃとが電気的に接続される。
【００３３】
カメラ本体には，上述したようにセンサ６が設けられている。また，表示装置３０にはセンサ６と通信するセンサ４７が設けられている。表示装置３０がカメラ本体１の収納凹所４から取り出されると，表示装置３０とカメラ本体１とはセンサ６と４７とを用いて互いに通信する。
【００３４】
カメラ本体１の全体の動作は，ＣＰＵ１０によって統括される。表示装置３０にもＣＰＵ４０が内蔵され，このＣＰＵ４０によって表示装置３０の動作が統括される。
【００３５】
上述したレリーズ・ボタン２の押下を示す信号および検出スイッチ５から出力される検出信号は，ＣＰＵ１０に入力する。また，ＣＰＵ１０から出力される表示装置３０の制御信号は，接続端子２８Ａおよび送受信回路２７に与えられる。
【００３６】
また，カメラ本体１には，カメラ本体を構成する各回路に電源を供給する電源回路２０が含まれている。この電源回路２０から出力される電源は，接続端子２８Ａにも与えられる。
【００３７】
モード設定スイッチ（図示略）により撮影モードが設定されると，撮像レンズ３を介してＣＣＤ１１の受光面上に被写体像が結像する。タイミング信号発生回路１４から各種タイミング・クロック・パルスが出力され，ＣＣＤ駆動回路１５ならびにＣＤＳ（相関二重サンプリング）およびＡＤ（アナログ・ディジタル）コンバータ１２に与えられる。ＣＣＤ駆動回路１５によってＣＣＤ１１が駆動される。
【００３８】
ＣＣＤ１１から被写体像を表す映像信号が出力され，ＣＤＳおよびＡＤコンバータ１２に入力する。ＣＤＳおよびＡＤコンバータ１２において，相関二重サンプリング処理が行われる。相関二重サンプリング処理された映像信号がアナログ／ディジタル変換され，画像データが得られる。画像データは，画像処理回路１３を介してメモリ１９に一時的に記憶される。画像データは，メモリ１９から読み取られ，画像処理回路１３に入力し，白バランス調整，ガンマ補正などの所定の画像処理が行われる。画像処理回路１３から出力された画像データは切換回路２５に入力する。切換回路２５は，与えられた画像データを接続端子２８Ａまたは液晶表示データ・コーディング回路２６に切り替えて出力するものである。
【００３９】
検出スイッチ５により，カメラ本体１の収納凹所４に表示装置３０が収納されていることが検出されると，画像処理回路１３から出力される画像データは，接続端子２８Ａに与えられるように切換回路２５がＣＰＵ１０によって制御される。検出スイッチ５により，カメラ本体１の収納凹所４に表示装置３０が収納されていないことが検出されると，画像処理回路１３から出力される画像データは，液晶表示データコーディング回路２６に与えられるように切換回路２５がＣＰＵ１０によって制御される。
【００４０】
カメラ本体１の収納凹所４に表示装置３０が収納されているときに切換回路２５から出力される画像データは，接続端子２８Ａおよび表示装置３０の接続端子５１Ａを介して液晶駆動回路５０に入力する。液晶駆動回路５０によって液晶表示装置４６が駆動させられ，液晶表示装置４６の表示画面上に撮影によって得られた画像データによって表される画像が表示される。
【００４１】
カメラ本体１の収納凹所４に表示装置３０が収納されているときに切換回路２５から出力される画像データは，上述のように液晶表示データ・コーディング回路２６に入力する。液晶表示データ・コーディング回路２６において，コーディング処理が行われる。コーディング処理された画像データは，送受信回路２７を介してセンサ６に与えられる。センサ６から表示装置３０のセンサ４７に送信される。センサ４７を介して送受信回路４８に画像データが入力する。画像データは，送受信回路４８から液晶表示データ・デコーディング回路４９に入力される。液晶表示データ・デコーディング回路４９においてデコーディング処理が行われ，液晶駆動回路５０に入力する。液晶駆動回路５０によって液晶表示装置４６が駆動させられることにより，液晶表示装置４６の表示画面に撮影によって得られた画像データによって表される画像が表示される。
【００４２】
また，画像処理回路１３から出力される画像データは，ビデオ出力回路２３にも与えられる。ビデオ出力回路２３においてビデオ信号処理が行われ，ビデオ出力端子２４に与えられる。ビデオ出力端子２４に接続された表示装置の表示画面上に撮影により得られた画像データによって表される画像が表示される。
【００４３】
さらに，カメラ本体１に電子ビュー・ファインダ２２を設けるようにしてもよい。画像処理回路１３から出力された画像データが電子ビュー・ファインダ２２に与えられることにより，電子ビュー・ファインダ２２の表示画面上に撮影により得られた画像データによって表される画像が表示される。
【００４４】
レリーズ・ボタン２が押されると，上述のようにして画像処理回路１３から出力された画像データは，外部インターフェイス記録制御回路１６に与えられる。外部インターフェイス記録制御回路１６によって，撮影により得られた画像データがメモリ・カード１８に記録される。また，外部インターフェイス記録制御回路１６からインプット／アウトプット回路１７に与えられる。インプット／アウトプット回路１７に接続された記録媒体に画像データが記録される。
【００４５】
表示装置３０には表示装置３０の各回路に電源を供給する電源回路４２が含まれている。
【００４６】
検出スイッチ５により，カメラ本体１の収納凹所４に表示装置３０が収納されていることが検出されると，カメラ本体１のＣＰＵ１０から表示装置３０のＣＰＵ４０に電源切換制御信号が接続端子２８Ｂおよび５１Ｂを介して与えられる。すると，表示装置５０のＣＰＵ４０によって電源切換スイッチ４１に切換制御信号が与えられ，カメラ本体１から供給される電源が表示装置３０の各回路に与えられる。
【００４７】
検出スイッチ５により，カメラ本体１の収納凹所４に表示装置３０が収納されていないことが検出されると，カメラ本体１のＣＰＵ１０から表示装置３０のＣＰＵ４０に電源切換制御信号は，送受信回路２７，センサ６ならびに表示装置３０のセンサ７および送受信回路４８を介して表示装置３０のＣＰＵ４０に入力する。すると，表示装置５０のＣＰＵ４０によって表示装置４０の電源４２から表示装置４０の各回路に電源が供給されるように電源回路４２が制御される。
【００４８】
表示装置３０に設けられているメニュー・ボタン３１，第１のセレクト・ボタン３２，第２のセレクト・ボタン３３および決定ボタン３４のキーパッド４３から出力される信号は，操作位置検出回路４５に入力する。操作位置検出回路４５においてボタン３１〜３４のどのボタンが押されたかが検出され，検出された位置を示す信号はＣＰＵ４０に入力する。
【００４９】
表示装置３０がカメラ本体１の収納凹所４に収納されているときには，キーパッド４３の操作にもとづいて得られる操作信号は，接続端子５１Ｂおよびカメラ本体１の接続端子２８Ｂを介してカメラ本体１のＣＰＵ１０に入力する。カメラ本体のＣＰＵ１０によって，表示装置３０のキーパッド４３の操作にもとづいてカメラ本体１の動作が制御される。例えば，上述したようにメニュー・ボタン３１が押されたことにより，メニュー画像を表示装置３０の表示画面上に表示するようにカメラ本体１が制御される。表示装置３０がカメラ本体１の収納凹所４に収納されていないときには，キーパッド４３にもとづいて得られる信号は，送受信回路４８に与えられる。操作信号は，送受信回路４８，センサ４７ならびにカメラ本体１のセンサ６および送受信回路２７を介してカメラ本体１のＣＰＵ１０に入力する。表示装置３０がカメラ本体１の収納凹所４に収納されているときと同様に，カメラ本体のＣＰＵ１０によって，表示装置３０のキーパッド操作にもとづいてカメラ本体１の動作が制御される。
【００５０】
図５は，ディジタル・スチル・カメラの処理手順を示すフローチャートである。
【００５１】
検出スイッチ５により，カメラ本体１の収納凹所４に表示装置３０が収納されていることが検出されると（ステップ６１でＹＥＳ），上述のようにカメラ本体１の切換スイッチ２５は与えられる画像データを接続端子２８Ａに供給するように，表示装置３０の切換スイッチ４１は，カメラ本体１の電源回路２０から与えられる電源を表示装置３０の各回路に供給するように切り換えられる（ステップ６２）。
【００５２】
カメラ本体１のＣＰＵ１０に表示装置３０から与えられる指令（キーパッド４３の操作にもとづく指令）が入力すると（ステップ６３でＹＥＳ），その指令に応じた処理がカメラ本体によって行われる（ステップ６４）。表示装置３０の表示画面に表示されるべき画像を表す画像データが上述のように，切り換えスイッチ２５から接続端子２８Ａおよび５１Ａを介して液晶駆動回路５０に入力する。液晶駆動回路５０によって液晶表示パネル４６が制御されることにより，表示装置３０のキーパッド４３の操作にもとづいて表示画面３０Ａ上にカメラ本体１から与えられた画像データによって表される画像が表示される（ステップ６５）。
【００５３】
検出スイッチ５により，カメラ本体１の収納凹所４に表示装置３０が収納されていることが検出されると（ステップ６１でＮＯ），カメラ本体１の切換スイッチ２５は与えられる画像データを液晶表示データ・コーディング回路２６に供給するように，表示装置３０の電源回路４２は表示装置３０の各回路に電源を供給するようにそれぞれ制御される（ステップ７１）。
【００５４】
カメラ本体１のＣＰＵ１０に表示装置３０から与えられる指令（キーパッド４３の操作にもとづく指令）が入力すると（ステップ７２でＹＥＳ），その指令に応じた処理がカメラ本体によって行われる（ステップ７３）。表示装置３０の表示画面に表示されるべき画像を表す画像データが上述のように，液晶表示データ・コーディング回路２６，センサ６，７，送受信回路４８および液晶表示データ・デコーディング回路４９を介して液晶駆動回路５０に入力する。液晶駆動回路５０によって液晶表示パネル４６が制御されることにより，表示装置３０のキーパッド４３の操作にもとづいて表示画面３０Ａ上にカメラ本体１から与えられた画像データによって表される画像が表示される（ステップ７４）。
【００５５】
このようにして，表示装置３０がカメラ本体１の収納凹所４に収納されていないときでも，収納されているときでも表示装置３０のキーパッド４３の操作にもとづいてカメラ本体１の動作を制御することができる。とくに，表示装置３０がカメラ本体１の収納凹所４に収納されているときには，表示装置３０はカメラ本体１の電源回路２０から供給される電源により動作するので，表示装置３０の電源４２を無駄に消費することを未然に防止できる。
【００５６】
図６から図１１は，他の実施例を示すものである。この実施例は，液晶表示装置に含まれるバックライト装置から出射される光を被写体に照射するものである。ストロボ発光装置を用いることなく，輝度の暗い被写体を明るく撮影することができる。
【００５７】
図６は，ディジタル・スチル・カメラを背面から見た斜視図である。
【００５８】
ディジタル・スチル・カメラの前面には，撮像レンズ８２が設けられている。ディジタル・スチル・カメラの上面には，背面から見て右側にレリーズ・ボタン８１が設けられている。
【００５９】
ディジタル・スチル・カメラの背面には，そのほぼ前面に液晶表示画面８３が形成されている。この液晶表示画面８３の下に，メニュー・ボタン８４，第１のセレクト・ボタン８５，第２のセレクト・ボタン８６および決定ボタン８７が設けられている。
【００６０】
図７は，ディジタル・スチル・カメラの中身の透視図であり，図６に対応している。図８は，図７のＶＩＩＩ−ＶＩＩＩ線に沿う断面図である。
【００６１】
ディジタル・スチル・カメラ８０の背面側には，上述したように表面に液晶表示画面８３が形成されている液晶表示パネル９８が設けられている。筐体内には，その下部に液晶表示パネル９８に裏面からバックライト光を照射するためのバックライト光源（バックライト装置）９０が，ディジタル・スチル・カメラ８０の背面に平行に設けられている。ディジタル・スチル・カメラ８０の筐体の内部には，液晶表示パネル９８と所定距離だけ離れて，かつディジタル・スチル・カメラ８０の背面に平行に反射板９６が設けられている。反射板９６と液晶表示パネル９８との間には，中心軸Ｃを中心に実線で示す位置と鎖線で示す位置との所定角度θの間を揺動する導光板９５が設けられている。中心軸Ｃには，導光板９５を所定角度θの間を揺動させる揺動モータ９７が設けられている。
【００６２】
バックライト光源９０の前方には第１の偏向ミラー９１がバックライト光源９０に平行に設けられている。第１の偏向ミラー９１によってバックライト光源９０からの出射光は上方に偏向させられる。第１の偏向ミラー９１の上方には第２の偏向ミラー９２が設けられている。この第２の偏向ミラー９２は，湾曲しており入射する光を集光して前方から出射するものである。第２の偏向ミラー９２の前方には第２の偏向ミラー９２によって集光された光をさらに集光または拡散する集光／拡散レンズ９３が設けられている。ディジタル・スチル・カメラ８０の前面における，集光／拡散レンズ９３の前方の位置に照射窓９４が形成されている。
【００６３】
被写体輝度が低い場合には，導光板９５は揺動モータ９７によって実線の位置に位置決めされる。バックライト光源９０からの出射光は，第１の偏向ミラー９１および第２の偏向ミラー９２によって集光／拡散レンズ９３に導かれる。集光／拡散レンズ９３によって光は集光または拡散され，照射窓９４から被写体に出射される。モード設定ダイアル（図示略）によってマクロ・モードが設定されているときには，照射窓９４から出射する光が拡散するように集光／拡散レンズ９３が制御され，マクロ・モードが設定されていないときには，照射窓９４から出射する光が集光するように集光／拡散レンズ９３が制御される。バックライト光源９０からの出射光は，反射板９６および導光板９５によっても第２の偏向ミラー９２に導かれ，集光／拡散レンズ９３および照射窓９４を介して被写体に照射されるのはいうまでもない。被写体輝度が低い場合に，バックライト光源９０からの出射光により被写体が照射されるので比較的明るい被写体像を得ることができる。
【００６４】
被写体輝度が高い場合には，導光板９５は揺動モータ９７によって鎖線の位置に位置決めされる。バックライト光源９０からの出射光は，導光板９５によって液晶表示パネル９５の裏面に照射することとなる。
【００６５】
図９は，ディジタル・スチル・カメラ８０の電気的構成を示すブロック図である。この図において，図４に示すものと同一物については同一符号を付して説明を省略する。
【００６６】
ディジタル・スチル・カメラ８０の全体の動作は，ＣＰＵ１００によって統括される。
【００６７】
バックライト光源９０の発光は，ＣＰＵ１００によって制御される。
【００６８】
上述したように被写体を撮影したことにより得られる画像データは，液晶駆動回路１０１に与えられる。液晶駆動回路１０１によって液晶表示パネル９８が駆動させられ，撮影により得られた画像データによって表される画像が表示パネル９８の表示画面８３上に表示される。
【００６９】
ディジタル・スチル・カメラ８０には，暗所センサ９９が設けられている。この暗所センサ９９からの出力信号は，ＣＰＵ１００に入力する。暗所センサ９９からの出力信号にもとづいて，被写体が暗いと判断されると，バックライト光源９０が発光させられ，上述したように揺動モータ９７によってバックライト光源９０からの出射光が照射窓９４から出射するように導光板９５が制御される。
【００７０】
集光／拡散レンズ９３は，モータ９６により入射した光を集光または拡散するように制御される。
【００７１】
図１０は，ディジタル・スチル・カメラ８０の撮影処理手順を示すフローチャートである。
【００７２】
モード設定ダイアルによって撮影モードが設定されると，液晶表示画面８３はデフォルトの表示となる（ステップ１１１）。たとえば，デフォルトの表示としてバックライト光源９０からの出射光を液晶表示パネル９８の裏面から照射するように設定されていると，そのように導光板９５の位置が揺動モータ９７によって制御される。
【００７３】
暗所センサ９９によって被写体輝度が指定輝度よりも低い暗所撮影かどうかが確認される（ステップ１１２）。
【００７４】
暗所撮影であると判定されると（ステップ１１２でＹＥＳ），導光板９７が図８の実線の位置に位置決めされるように揺動モータ９７によって制御される。これにより，バックライト光源９０の光が照射窓９４から出射され，被写体を照射することとなる（ステップ１１４：暗所撮影）。ストロボ発光装置を用いずとも被写体を照らすことができる。また，暗所撮影であるからバックライト光源９０からの出射光によって液晶表示パネル９８の裏面が照らされなくとも表示画面８３に表示される画像が見づらくなることを防止できる。撮影アングルを確認できる。
【００７５】
暗所撮影ではないと判定されると（ステップ１１２でＮＯ），導光板９７は動かされることなく図８の鎖線の位置に位置決めとされる。バックライト光源９０からの出射光は，液晶表示パネル９８の裏面を照射することとなる（ステップ１１３：通常液晶表示）。液晶表示画面８３が暗くなることを防止できる。液晶表示画面８３には比較的明るい被写体像が表示されるので，撮影アングルを決定するのが比較的簡単となる。
【００７６】
撮影モードが終了するまでステップ１１２から１１４の処理が繰り返される（ステップ１１５）。
【００７７】
図１１は，照射方法の処理手順を示すフローチャートである。
【００７８】
モード設定ダイアルにより撮影モードに設定されると，標準撮影モードにより被写体が撮影される（ステップ１２１）。
【００７９】
ユーザによってマクロ撮影モードが設定されていなければ（ステップ１２２でＮＯ），バックライト光源９０からの出射光が主要被写体に照射されるように集光／拡散レンズ９３がモータ９６によって制御される（ステップ１２３）。マクロ撮影モードが設定されていると（ステップ１２２でＹＥＳ），主要被写体がカメラの近くにあると考えられるのでバックライト光源９０からの出射光が拡散して照射されるように集光／拡散レンズ９３がモータ９６によって制御される（ステップ１２４）。
【００８０】
撮影モードが終了するまでステップ１２２から１２４の処理が繰り返される（ステップ１２５）。
【００８１】
上述の実施例において，暗所撮影かどうかを検出し，暗所撮影であると検出されたときにマクロ撮影モードが設定されているかどうかに応じて集光／拡散レンズ９３の集光または拡散を制御するようにしてもよい。もっとも，暗所撮影かどうかを検出する処理とマクロ撮影モードが設定されているかどうかを検出する処理との両方の処理を行う必要はなく，どちらか一方の処理を行うようにしてもよいのはいうまでもない。
【図面の簡単な説明】
【図１】この発明の実施例を示すもので，ディジタル・スチル・カメラの斜視図である。
【図２】この発明の実施例を示すもので，ディジタル・スチル・カメラの斜視図である。
【図３】表示画面に表示される画像の一例である。
【図４】ディジタル・スチル・カメラの電気的構成を示すブロック図である。
【図５】ディジタル・スチル・カメラの処理手順を示すフローチャートである。
【図６】他の実施例を示すもので，ディジタル・スチル・カメラの斜視図である。
【図７】ディジタル・スチル・カメラを背面から見た透視図である。
【図８】図７のＶＩＩＩ−ＶＩＩＩ線に沿う断面図である。
【図９】ディジタル・スチル・カメラの電気的構成を示すブロック図である。
【図１０】撮影モードの処理手順を示すフローチャートである。
【図１１】照射方法の処理手順を示すフローチャートである。
【符号の説明】
１，８０　ディジタル・スチル・カメラ
４　収納凹所
５　検出スイッチ
６，４７　センサ
１０，４０，１００　　ＣＰＵ
２０，４２　電源回路
２７，４８　送受信回路
２８Ａ，２８Ｂ，２８Ｃ，５１Ａ，５１Ｂ，５１Ｃ　接続端子
３０　表示装置
４３　キーパッド
９０　バックライト光源
９１　第１の偏向ミラー
９２　第２の偏向ミラー
９３　集光／拡散レンズ
９４　照射窓
９５　導光板
９６　反射板
９７　揺動モータ
９８　液晶表示パネル
９９　暗所センサ
【図１】
2004032222.tif 000003
【図２】
2004032222.tif 000004
【図３】
2004032222.tif 000005
【図４】
2004032222.tif 000006
【図５】
2004032222.tif 000007
【図６】
2004032222.tif 000008
【図７】
2004032222.tif 000009
【図８】
2004032222.tif 000010
【図９】
2004032222.tif 000011
【図１０】
2004032222.tif 000012
【図１１】
2004032222.tif 000013